(57)【要約】【課題】  ユーザ毎のカスタマイズを可能とし、使いやすさを向上させる。【解決手段】  アプリケーションの実行により表示する画像の表示位置及び表示サイズを指定した画像表示情報１０２に基づいて、画像を表示させる携帯端末装置であって、画像表示情報１０２を編集する編集手段を備える。【選択図】  図２
2006030338.tif 000002
【特許請求の範囲】
【請求項１】
アプリケーションの実行により表示する画像の表示位置及び表示サイズを指定した画像表示情報に基づいて、画像を表示させる表示制御装置であって、
前記画像表示情報を編集する手段を備える表示制御装置。
【請求項２】
アプリケーションの実行により新たに表示する画像の切り替え順序を指定した画像表示切替情報に基づいて、画像を表示させる表示制御装置であって、
前記画像表示切替情報を編集する手段を備える表示制御装置。
【請求項３】
請求項１又は２記載の表示制御装置を備える情報端末。
【請求項４】
アプリケーションの実行により表示する画像の表示位置及び表示サイズを指定した画像表示情報に基づいて、画像を表示させるためのプログラムであって、コンピュータを、前記画像表示情報を編集する手段として機能させるプログラム。
【請求項５】
アプリケーションの実行により新たに表示する画像の切り替え順序を指定した画像表示切替情報に基づいて、画像を表示させるためのプログラムであって、コンピュータを、前記画像表示切替情報を編集する手段として機能させるプログラム。
【請求項６】
請求項４又は５記載のプログラムを記録したコンピュータ読み取り可能な記録媒体。
【発明の詳細な説明】
【技術分野】
【０００１】
本発明は、表示制御装置及びプログラムに関する。
【背景技術】
【０００２】
近年、高精細液晶、高画質撮像素子等を備えた高性能携帯端末装置が普及し、通常の通話のほかに、インターネット接続、電子メール送受信、ＴＶ電話、デジタルＴＶ放送受信などが行える、多様なアプリケーションが端末に搭載されるようになった。
【０００３】
搭載アプリケーションの増加に伴い、画面表示におけるユーザの可視性及び操作性向上の観点から、表示画面構成に様々な工夫を施した携帯端末装置が提案されている。例えば、メール送受信画面の分割機能を備えた携帯端末装置（例えば、非特許文献１参照）や、自局動画像、対局動画像、ビットマップ画像等を画面内のサブウィンドウである親画面、子画面に表示し、親子画面内の表示内容の選択や切り替えを行うＴＶ電話端末（例えば、非特許文献２参照）などがある。
【０００４】
一方、携帯端末装置に限らず、ＴＶ放送受信装置やＴＶ会議システム等においても、ユーザの嗜好に合わせて表示内容の変更や画面配置の切り替えを行う装置が提案されている。例えば、視聴者の嗜好に合わせて番組表の表示構成を自由に変更できるＴＶ放送受信装置（例えば、特許文献１参照）や、静止画像と動画像を１画面内の２領域に表示し、表示位置をユーザ操作で入れ替えるＡＶミーティング端末（例えば、特許文献２参照）などがある。
【０００５】
【非特許文献１】“製品案内”、[online]、ＮＴＴドコモ、[平成１５年９月１６日検索]、インターネット＜URL:http//505i.nttdocomo.co.jp/product/n505i-forte.html＞
【非特許文献２】“製品案内”、[online]、ＮＴＴドコモ、[平成１５年９月１６日検索]、インターネット＜URL:http//foma.nttdocomo.co.jp/term/n2102v_02.html＞
【特許文献１】特開平１１−２５５４１号公報
【特許文献２】特開平１１−９８４８２号公報
【発明の開示】
【発明が解決しようとする課題】
【０００６】
しかしながら、従来の携帯端末装置では、アプリケーション起動時における表示画面構成をユーザが自由にカスタマイズできない。特に、搭載されるアプリケーションが今後ますます増加することを考慮すると、複数のアプリケーションを同時に起動させる場合などに、ユーザの嗜好に合わせたサブウィンドウの配置が行えないのは重大な課題となると思われる。
【０００７】
例えば、デジタルＴＶ放送受信中にＴＶ電話の着信が発生した場合、デジタルＴＶ放送表示画面とＴＶ電話画面の配置は、ユーザが自由に設定または変更できることが好ましい。何故なら、デジタルＴＶ放送画面を全画面表示してＴＶ放送を見ながら通話を行いたいユーザや、ＴＶ電話対局画像を大きく表示させてＴＶ放送は状況が分かる程度に小さく表示して通話を行いたいユーザ、更には状況に応じてそれらを何度も切り替えて通話を行いたいユーザなど、表示画面構成への要求はユーザにより種々多様に異なるからである。
【０００８】
上記従来のＴＶ電話端末では親画面、子画面の配置は固定であり、また、メニューの選択で画面表示内容の切り替えは可能であったが、切り替え順序をユーザの嗜好に合わせてカスタマイズすることはできなかった。
【０００９】
本発明は、上記事情に鑑みてなされたものであって、ユーザ毎のカスタマイズを可能とし、使いやすさを向上させることができる表示制御装置及びプログラムを提供することを目的とする。
【課題を解決するための手段】
【００１０】
本発明の表示制御装置は、アプリケーションの実行により表示する画像の表示位置及び表示サイズを指定した画像表示情報に基づいて、画像を表示させる表示制御装置であって、前記画像表示情報を編集する手段を備える。上記構成によれば、画像表示情報を編集する手段を備えることにより、ユーザが自由に設定した表示位置及び表示サイズで画像を表示できる為、ユーザ毎のカスタマイズが可能となり、使いやすさを向上させることができる。
【００１１】
また、本発明の表示制御装置は、アプリケーションの実行により新たに表示する画像の切り替え順序を指定した画像表示切替情報に基づいて、画像を表示させる表示制御装置であって、前記画像表示切替情報を編集する手段を備える。上記構成によれば、画像表示切替情報を編集する手段を備えることにより、イベントが発生する度に、ユーザが自由に設定した順序で画像の表示を切り替えることができる為、ユーザ毎のカスタマイズが可能となり、使いやすさを向上させることができる。
【００１２】
また、本発明の情報端末は、本発明の表示制御装置を備える。上記構成によれば、情報端末に表示する画像の表示位置及び表示サイズ又は切り替え順序をユーザが自由に設定できる為、情報端末をカスタマイズして、使いやすさを向上させることができる。
【００１３】
また、本発明のプログラムは、アプリケーションの実行により表示する画像の表示位置及び表示サイズを指定した画像表示情報に基づいて、画像を表示させるためのプログラムであって、コンピュータを、前記画像表示情報を編集する手段として機能させるものである。
【００１４】
また、本発明のプログラムは、アプリケーションの実行により新たに表示する画像の切り替え順序を指定した画像表示切替情報に基づいて、画像を表示させるためのプログラムであって、コンピュータを、前記画像表示切替情報を編集する手段として機能させるものである。
【００１５】
さらに、本発明の記録媒体は、本発明のプログラムを記録したコンピュータ読み取り可能なものである。
【発明の効果】
【００１６】
本発明によれば、画像表示情報又は画像表示切替情報を編集する手段を備えることにより、ユーザが自由に設定した表示位置及び表示サイズ又は切り替え順序で画像を表示できる為、ユーザ毎のカスタマイズが可能となり、使いやすさを向上させることができる。
【発明を実施するための最良の形態】
【００１７】
本発明の表示制御装置は、アプリケーションの実行により表示する画像の表示位置及び表示サイズを指定した画像表示情報に基づいて、画像を表示させる表示制御装置であって、画像表示情報を編集する編集手段を備えるものであるが、以下、この表示制御装置を備える携帯電話端末が、複数のアプリケーションの実行によりそれぞれ表示される画像の表示を切り替える場合の例を説明する。尚、実施の形態を説明するための全図において、同一機能を有するものは同一符号を付与し、説明は繰り返さないこととする。
【００１８】
図１は、本発明の実施の形態における携帯端末装置の内部構成を示す図である。図に示す携帯端末装置１００は、表示部１０、操作部２０、制御部３０、記憶部４０、無線通信部５０、アンテナ５１で構成される。
【００１９】
表示部１０は、液晶ディスプレイや有機ＥＬディスプレイなどで形成され、アプリケーションの実行により画像やテキストを表示する。操作部２０は、各種のキーやボタン類で構成される。また、操作部２０からの入力により、ユーザは、表示する画像の表示位置及び表示サイズを指定した画像表示情報や新たに表示する画像の切り替え順序を指定した画像表示切替情報の設定を行う。画像表示情報及び画像表示切替情報については後述する。  また、操作部２０の所定キーの押下などにより、表示画面構成の切り替え操作も実行される（表示切り替えの契機となるイベントがキー操作に設定されている場合）。
【００２０】
制御部３０は、携帯端末装置全体の動作を統括制御するブロックで、更に、画像表示切替制御部３１を含む。画像表示切替制御部３１は、表示部１０の画面上に表示する複数の画像の構成並びにその切り換え動作を制御する。制御部３０は、予め携帯端末装置内に格納された各種の制御用プログラムを実行することにより制御動作を実現する。画像表示切替制御部３１も、画像表示情報や画像表示切替情報の設定を行う設定プログラムや、設定に基づく制御を実行する制御プログラムを実行し、ユーザが設定する画像表示情報設定リスト及び画像表示切替情報設定リストに基づいて、画像の配置（表示画面構成）並びにその切り換えの制御を行う。
【００２１】
記憶部４０は、メモリで構成され各種データを格納する。例えば、上述の制御用プログラムや、画像の配置並びにその切り換えを行う際に必要な画像表示情報設定リストや画像表示切替情報設定リストなども記憶部４０に格納される。無線通信部５０は、アンテナ５１を介した無線通信により電話や電子メールの送受信、デジタルＴＶ放送電波の受信などを行う。尚、電話の接続確立方法や電子メールの送受信方法、ＴＶ放送電波の受信方法などは公知の手法を用いてよく、従って無線通信部５０の詳細な構成及び動作については説明を省略する。
【００２２】
画像表示情報及び画像表示切替情報については、画像表示切替制御部３１が実行する設定プログラムに基づいて、ユーザが携帯端末装置の操作部２０から設定値を入力し、記憶部４０に記憶させることによって編集を行う。
【００２３】
次に、上記構成の携帯端末装置の画像表示切替動作について詳細に説明する。
【００２４】
図２は、本発明の実施の形態における携帯端末装置の、表示部の画面表示の遷移例を模式的に示す図である。携帯端末装置１００の表示部１０の表示画面１０１は、記憶部４０に格納された画像表示情報１０２に基づいて、画像の表示位置及び表示サイズ等の画面構成が決定される。初期状態では、画像表示情報Ａに基づいて、画面表示Ａに示す画面構成となっているが、後述するイベントの発生により、画像表示情報Ｂに基づいた画面表示Ｂへ遷移する。更に、イベントの発生により、画面表示Ｃ、画面表示Ｄ、画面表示Ｂ、画面表示Ｃ、・・のように画面構成が遷移する。この画面表示の遷移は、記憶部４０に格納された画像表示切替情報１０３に基づいて実行される。
【００２５】
ここで、この画面表示の遷移を具体的に説明する。例えば、ユーザがデジタルＴＶ放送受信アプリケーションを起動して、横画面表示でデジタルＴＶ放送を視聴している状態の画面構成が、最初の画面表示Ａである。視聴中にＴＶ電話の着信が発生した場合、ユーザが受信キーを押下すると、押下を契機として画面表示Ｂに遷移し、同時にＴＶ電話の通話が開始する。この状態ではデジタルＴＶ放送の受信画面がメインであるため、ユーザはデジタルＴＶ放送を視聴しながらＴＶ電話の通話が行える。
【００２６】
その後、ＴＶ電話画面をメイン画面に切り替えて、かつデジタルＴＶ放送も視聴したい場合、ユーザが所定キーの押下などの操作を行うと、画面表示Ｃに示すような縦画面表示に切り替わる。更に、ＴＶ電話に関わる表示を優先的に行いたい場合、同様に所定のキー操作により、デジタルＴＶ放送画像を閉じて自局画像を表示した画面表示Ｄに切り替わる。一方、ＴＶ電話の通話途中でデジタルＴＶ放送を再度視聴したくなった場合、同様のキー操作を行うことにより画面表示Ｂへ戻る。
【００２７】
次に、上記の表示切り替えを実現するために必要な画像表示情報と画像表示切替情報、及びその編集動作の詳細について説明する。
【００２８】
図３は、画像表示情報設定リスト例を示す図であり、本発明の実施の形態における携帯端末装置に、設定、記憶される画像表示情報設定リストを概念的に示す。このリストは、配置パターンＩＤ２００、表示方向データ２０１、画像ＩＤ２０２の各データ項目で構成される。配置パターンＩＤ２００は、１〜Ｋａまで定義されており、Ｋａの最大値はシステム任意である。表示方向データ２０１は、各配置に対して、ＬＣＤ（表示部１０）の縦横表示を指定する。また、画像ＩＤ２０２には、表示レイヤデータ２０３を指定した各画像について、表示座標や表示サイズを設定する。画像ＩＤ２０２は、携帯端末装置で起動される１つのアプリケーションに対し、複数対応する場合もある。例えば、ＴＶ電話アプリケーションに対し、親画面として画像１、子画面として画像２が対応するということがある。更に、表示レイヤデータ２０３は数値が大きい方が上面に重畳されるなどの指定が可能であり、ユーザが本設定リストを使用して、各アプリケーションで表示される画像情報を自由に設定できる。尚、ここでは表示レイヤデータ２０３の「０」は表示されないことを意味する。この画像表示情報設定リストは、携帯端末装置のユーザが操作部２０からの入力により編集し、編集後のリストが記憶部４０に保存される。
【００２９】
図４は、画像表示情報設定リスト例を示す図であり、画像表示情報設定リストにユーザが表示座標や表示サイズを設定（編集）する際の制約情報を記述した画像表示情報設定制約リストを概念的に示す。リストは、画像ＩＤ３００、表示方向データ３０１、ｘ座標データ３０２、ｙ座標データ３０３、横幅ｗデータ３０４、縦幅ｈデータ３０５、縦横比ｗ／ｈデータ３０６、の各データ項目で構成され、それぞれの画像ＩＤ３００に対して、アプリケーション制約、ＬＣＤ画面制約などに基づく情報が記述される。表示方向データ３０１に対してそれぞれ、表示ｘ座標の最小値と最大値を示すｘ座標データ３０２、表示ｙ座標の最小値と最大値を示すｙ座標データ３０３、表示横幅Ｗの最小値と最大値を示す横幅ｗデータ３０４、表示縦幅Ｈの最小値と最大値を示す縦幅ｈデータ３０５、及び表示縦横比率を示す縦横比ｗ／ｈデータ３０６が記述されている。図３に示す画像表示情報設定リストは、この画像表示情報設定制約リストの範囲内で設定されるように制約される。尚、この画像表示情報設定制約リストは一般にはユーザが記述するものではなく、既定値として端末で予め設定されている。
【００３０】
図５は、表示画面のプレビューイメージを模式的に示す図であり、画像表示情報設定リストの設定が行われた際、設定に基づいて表示されるプレビューイメージを示す。画像表示情報設定プレビュー４００は、画像１〜画像５の表示イメージを確認するためのものであるが、画像２の表示領域４０１はＬＣＤ画面外に及ぶ指定がなされている。このように、画像表示情報設定プレビュー４００により、設定後のイメージを確認できるだけでなく、設定不可の場合に点滅表示するなどしてユーザの設定を支援することが可能となる。
【００３１】
図６は、画像表示切替情報設定リスト例を示す図であり、本発明の実施の形態における携帯端末装置に、設定、記憶される画像表示切替情報設定リストを概念的に示す。このリストは、画像配置切替パターンＩＤ５００、画像配置現在ＩＤ５０１、画像配置切替順序データ５０２、切替要因ＩＤ５０３で構成される。画像配置切替パターンＩＤ５００は、１〜Ｋｂまで定義されており、ユーザが自由に追加可能であるが、Ｋｂの最大値はシステム任意である。各切替パターンに対して、現在の配置番号を示す画像配置現在ＩＤ５０１と、図３の画像表示情報設定リストに定義されている配置情報に基づいて切替順序を指定する画像配置切替順序データ５０２を設定することができ、更に、その表示切替の契機となる切替要因ＩＤ５０３を指定することが可能である。画像配置切替順序データ５０２に登録可能な配置数の最大値Ｍはシステム任意であるが、一般にはメモリ制約等により、図３に示す全配置情報数Ｋａとの関係はＭ≦Ｋａとなる。
【００３２】
例えば、切替パターン２を選択した場合、画像配置現在ＩＤが０、即ち現在の画面配置が３であるため、切替要因0x00000006が発生すると、画面配置が３→５に遷移し、再度、切替要因0x00000006が発生すると、５→１に遷移するというように、３→５→１→…→０→３→５→… と順次遷移することを意味する。切替パターン３の場合では、要因0x00000080により、画面配置は４→１→４→…と順次遷移する。
【００３３】
尚、この場合、切替要因はビット位置に意味を持たせており、１を加えた数値を、後述する画像表示切替要因情報リストにおける画像配置切替要因ＩＤ６００の番号に対応させている。例えば、切替要因0x00000006はビット１、及びビット２にのみ１がセットされているため、画像配置切替要因ＩＤ６００における２、又は３に対応することを意味する。  この画像表示切替情報設定リストは、携帯端末装置のユーザが操作部２０からの入力により編集し、編集後のリストが記憶部４０に保存される。
【００３４】
図７は、画像表示切替要因情報設定リスト例を示す図であり、画像表示切替情報設定リストにおける切替要因データを設定するための画像表示切替要因情報設定リストを概念的に示す。リストは、画像配置切替要因ＩＤ６００、動作アプリケーションＩＤ６０１、発生イベントＩＤ（他アプリケーション起動）６０２、及び発生イベントＩＤ（キー操作）６０３で構成される。画像配置切替要因ＩＤ６００は、１〜Ｋｃまで定義されており、ユーザが自由に追加可能であるが、Ｋｃの最大値はシステム任意である。各画像配置切替要因ＩＤ６００に対し、動作アプリケーションならびにその動作中に発生して、切替のトリガとなる発生イベントを設定することが可能である。発生イベントＩＤ６０２は、動作中以外のアプリケーション起動を、発生イベントＩＤ６０３は、キー操作などを示す。尚、動作アプリケーションＩＤ６０１には電源ＯＮ時の待受け状態もアプリケーションとして登録可能であり、発生イベントＩＤ６０２としては、メール受信、電話着信などのイベントが考えられる。
【００３５】
尚、この場合においても、リスト中の各数値はビット位置に意味を持たせており、例えば、切替要因３は、動作アプリケーションにビット０、１２、１３、発生イベント（他アプリ起動）にビット２、発生イベント（Ｋｅｙ）にビット３がセットされているため、アプリケーション１、１３、１４が起動中に、アプリケーション３が起動、あるいはキー操作４が実行された場合に相当する。当然のことであるが、音声通話アプリケーション起動中にＴＶ電話アプリケーションが起動し得ない等、アプリケーションの輻輳可能条件などにより画像表示情報切替要因リストは制約される。
【００３６】
次に、上記の画像表示情報設定リスト及び画像表示切替情報設定リストの設定動作について説明する。図８は、画像表示情報の編集処理手順を示すフローチャートであり、本発明の実施の形態における携帯端末装置の、画像表示情報設定リストの設定処理手順を示すである。はじめに、ユーザは、設定を行うアプリケーション、画像の選択を行う（ステップＳ１０１）。次に、表示方向の選択（ステップＳ１０２）、表示位置／サイズの指定（ステップＳ１０３）、表示レイヤの指定（ステップＳ１０４）を行う。これらの設定が図４に示す画像表示情報設定制約リストに整合するか否かの確認を経て（ステップＳ１０５）、設定に対するプレビュー表示を行う。整合している場合は、通常のプレビュー表示を行った後（ステップＳ１０６）、処理を終了する。整合しない場合は、図５に示すようなＮＧプレビュー表示を行い（ステップＳ１０７）、ステップＳ１０２に戻って再度設定を行う。上記の手順により画像表示情報の編集を行い、ユーザは任意のアプリケーションに対して画像表示の配置を自由に設定できる。
【００３７】
図９は、画像表示切替要因情報の編集処理手順を示すフローチャートであり、本発明の実施の形態における携帯端末装置の、画像表示切替要因情報設定リストの設定手順を示す。はじめに、ユーザは、動作アプリケーションの選択を行う（ステップＳ２０１）。このとき、図７の説明で述べたように、複数の指定が可能である。次に、指定したアプリケーションが画像表示切替を許可するか否かの確認を行う（ステップＳ２０２）。許可しない場合は、当該理由の表示を行い（ステップＳ２０７）、処理を終了する。許可する場合は、発生イベント(他アプリケーション起動など)の選択を行う（ステップＳ２０３）。更に、アプリケーションの輻輳判定（ステップＳ２０４）を経て、アプリケーションの輻輳で問題がある場合は、当該理由の表示を行い（ステップＳ２０７）、処理を終了する。アプリケーションの輻輳において問題がない場合は、発生イベント(キー操作)の選択を行う（ステップＳ２０５）。同様に当該アプリケーション実行中に指定キー操作が許可されるか否かの判定を行う（ステップＳ２０６）。許可されない場合は、当該理由の表示を行い（ステップＳ２０７）、処理を終了する。また、許可される場合は、そのまま処理を終了する。
【００３８】
図１０は、画像表示切替情報の編集処理手順を示すフローチャートであり、本発明の実施の形態における携帯端末装置の、画像表示切替情報設定リストの設定処理手順を示す。  ユーザは、はじめに配置切替順序の登録を行う（ステップＳ２１０）。配置情報が図３に示す画像表示情報設定リストに登録されていない場合は、その旨表示し（ステップＳ２１４）、処理を終了する。配置情報が登録されている場合は、初期配置の設定を行う（ステップＳ２１２）。設定される配置ＩＤを確認し（ステップＳ２１３）、ＩＤがない場合は、その旨表示し（ステップＳ２１４）、処理を終了する。また、ＩＤがある場合はそのまま処理を終了する。図９及び図１０に示す手順により画像表示切替情報の編集を行い、ユーザは画像の表示切替パターンを自由に設定できる。
【００３９】
図１１は、画像表示切替の制御処理手順を示すフローチャートであり、上記の画像表示情報設定リスト及び画像表示切替情報設定リストに基づいた画像表示切替制御動作手順を示す。画像表示切替制御部３１は、任意のアプリケーションを実行中に、自局ユーザのキー操作、又は対局からの着信等によるイベント発生を監視する（ステップＳ３０１）。イベントが発生した場合のみ、動作中のアプリケーション確認を行い（ステップＳ３０２）、図７に示す画像表示切替要因情報設定リストを検索する（ステップＳ３０３）。切替要因がリスト内に登録済みか否かの判定を行い（ステップＳ３０４）、未登録である場合は、そのままステップＳ３０１の監視状態へ戻る。
【００４０】
一方、登録済みである場合は、図６に示す画像表示切替情報設定リストを検索する（ステップＳ３０５）。上記切替要因に対応する切替パターンが存在しない場合は、そのままステップＳ３０１の監視状態へ戻る。一方、対応する切替パターンが存在する場合は、当該切替パターンにおける画面配置切替順序に従って画面を遷移させる（ステップＳ３０７）。画面の遷移後、再びステップＳ３０１の監視状態へ戻り、上記の手順を繰り返す。このように、携帯端末装置の電源ＯＮの状態で画面遷移制御を行うことが可能である。
【００４１】
尚、１つのアプリケーションの実行により複数の画像が表示される場合に、これらの画像の表示位置や表示サイズ、切り替え順序を設定してもよい。
【００４２】
上述のように、本実施形態の携帯端末装置によれば、画像表示情報及び画像表示切替情報を編集することにより、ユーザは、表示画面構成やその切り替え順序を自分の嗜好に合わせて設定できる為、携帯端末装置をユーザ毎にカスタマイズして使いやすさを向上させることができる。また、表示切り替えの契機となる切替要因も任意に設定できるので、ユーザは単一のキー操作等により簡単に表示画面構成を切り替えることができ、快適な操作性と可視性を実現することができる。以上説明した表示制御装置及びプログラムは、特に、表示画面の小さい携帯端末装置等に有用である。
【産業上の利用可能性】
【００４３】
本発明は、ユーザ毎のカスタマイズが可能となり、使いやすさを向上させることができる効果を有し、表示制御装置及びプログラム等に有用である。
【図面の簡単な説明】
【００４４】
【図１】本発明の実施の形態における携帯端末装置の内部構成を示す図
【図２】本発明の実施の形態における携帯端末装置の、表示部の画面表示の遷移例を模式的に示す図
【図３】画像表示情報設定リストを概念的に示す図
【図４】画像表示情報設定リスト例を示す図
【図５】表示画面のプレビューイメージを模式的に示す図
【図６】画像表示切替情報設定リスト例を示す図
【図７】画像表示切替要因情報設定リスト例を示す図
【図８】画像表示情報の編集処理手順を示すフローチャート
【図９】画像表示切替要因情報の編集処理手順を示すフローチャート
【図１０】画像表示切替情報の編集処理手順を示すフローチャート
【図１１】画像表示切替の制御処理手順を示すフローチャート
【符号の説明】
【００４５】
１０  表示部
２０  操作部
３０  制御部
３１  画像表示切替制御部
４０  記憶部
５０  無線通信部
５１  アンテナ
１００  携帯端末装置
１０１  表示画面
１０２  画像表示情報
１０３  画像表示切替情報
２００  配置パターンＩＤ
２０１  表示方向データ
２０２  画像ＩＤ
２０３  表示レイヤデータ
３００  画像ＩＤ
３０１  表示方向データ
３０２  ｘ座標データ
３０３  ｙ座標データ
３０４  横幅ｗデータ
３０５  縦幅ｈデータ
３０６  縦横比ｗ／ｈデータ
４００  画像表示情報設定プレビュー
４０１  画像２の表示領域
５００  画像配置切替パターンＩＤ
５０１  画像配置現在ＩＤ
５０２  画像配置切替順序データ
５０３  切替要因ＩＤ
６００  画像配置切替要因ＩＤ
６０１  動作アプリケーションＩＤ
６０２  発生イベントＩＤ（他アプリケーション起動）
６０３  発生イベントＩＤ（キー操作）
【図１】
2006030338.tif 000003
【図２】
2006030338.tif 000004
【図３】
2006030338.tif 000005
【図４】
2006030338.tif 000006
【図５】
2006030338.tif 000007
【図６】
2006030338.tif 000008
【図７】
2006030338.tif 000009
【図８】
2006030338.tif 000010
【図９】
2006030338.tif 000011
【図１０】
2006030338.tif 000012
【図１１】
2006030338.tif 000013